(57)【要約】【課題】  複数枚の絆創膏を剥離シート上に敷き詰めたタイプの医療用絆創膏のシート体において、容易に絆創膏を１枚ずつ剥離できるようにするとともに、当該絆創膏を衛生的に使用できるようにする。【解決手段】  複数枚の絆創膏を剥離シート上に貼着した絆創膏のシート体であって、上記絆創膏は、片面に粘着剤層を設けた基材層の片面側において周縁から内方へ延在する非粘着部が設けられていることを特徴とする。【選択図】          図２
2006198016.tif 000002
【特許請求の範囲】
【請求項１】
複数枚の絆創膏を剥離シート上に貼着した絆創膏のシート体であって、
上記絆創膏は、片面に粘着剤層を設けた基材層の片面側において周縁から内方へ延在する非粘着部が設けられていることを特徴とする絆創膏のシート体。
【請求項２】
複数枚の絆創膏を積層した絆創膏の積層体であって、
上記絆創膏は、片面に粘着剤層を設けた基材層の片面側において周縁から内方へ延在する非粘着部が設けられていることを特徴とする絆創膏の積層体。
【発明の詳細な説明】
【技術分野】
【０００１】
本発明は、複数枚の絆創膏を剥離シート上に敷き詰めた絆創膏のシート体及び複数枚の絆創膏を積層した絆創膏の積層体に関し、特に注射針による穿刺部の保護用として好適な医療用絆創膏のシート体及び積層体に関する。
【背景技術】
【０００２】
刺し傷、切り傷、注射針による穿刺部などの創傷部に貼付して体液の損失や感染を防ぐために絆創膏が用いられている。この種の絆創膏として、薬剤を用いて積極的に治療を施すものがあり、例えば特許文献１には、片面に粘着剤層を設けた基材層の粘着剤層側の面の中央領域に薬剤層を接着させ、これら粘着剤層及び薬剤層の露出面を剥離シートで覆った絆創膏が提案されている。この絆創膏は、１枚ごとに独立したタイプであり、創傷部に薬剤層を当接させ、その周囲の皮膚に粘着剤層を貼り付けて用いるものである。
【０００３】
このような１枚１枚が独立したタイプの絆創膏とは別に、採血や予防接種時の注射針による穿刺部のような比較的小さな傷が塞がるまでの間、当該穿刺部を一時的に仮保護するための小さめの絆創膏として、図１０（１）に示すように、基材層１０１の片方の全面に粘着剤層１０２を設けるという簡易な構造のものが用いられており、この絆創膏１００は、図１０（２）に示すように、一般的に大きな剥離シート１０３上に複数枚を敷き詰めたシート体とされて供給され、剥離シート１０３に貼着されている絆創膏１００の縁部を指先で剥離シーと１０３から立ち上げた後に摘んで１枚ずつ剥離して所要部に貼り付けられて使用されるものである。
【０００４】
このシート体は、片面の全部に粘着剤層を設けた基材シートを、剥離シートとラミネートした後に、剥離シートを切断することなく基材シートを所定のサイズに切断することにより製造されうる。
【０００５】
【特許文献１】実用新案登録第３０６６８７３号公報
【発明の開示】
【発明が解決しようとする課題】
【０００６】
しかしながら、上述したシート体とされた従来の絆創膏１００の個々は、基材層１０１の片面側の全面（全周縁部）に粘着剤層１０２が設けられているために、基材層１０１の片面側の全周縁が剥離シート１０３上に貼着されており、剥離シート１０３から絆創膏１００を指先で一枚ずつ剥がすことが困難であり、作業性が極めて悪いものとなっている。
【０００７】
また、絆創膏１００を剥離シート１０３から剥がすときに、指先で周縁部の粘着剤層１０２を摘む必要があるために、粘着剤層１０２に指先に付着していた雑菌などが移付したり、感染の危険性もあり、極めて不衛生である。
【０００８】
さらに、貼り付けられた絆創膏１００を皮膚から剥がして取り去るときに、基材層１０１の周縁の粘着剤層が黒くなって皮膚側に残存しやすく、きれいに絆創膏１００を取り去ることができない。
【０００９】
本発明の目的は、複数枚の絆創膏を剥離シート上に敷き詰めたタイプの医療用絆創膏のシート体において、容易に絆創膏を１枚ずつ剥離できるようにするとともに、当該絆創膏を衛生的に使用できるようにすることにある。
【００１０】
また、本発明の別の目的は、これまでにない新規な形態の医療用絆創膏を提供することにある。
【課題を解決するための手段】
【００１１】
本発明者は、上記目的を達成すべく鋭意研究を重ねた結果、絆創膏の周縁部に非粘着部を設け、この非粘着部を指先で摘むことのできる摘み代として、絆創膏を剥離シート上から剥がすようにすれば、容易に絆創膏を１枚ずつ剥離できるとともに、粘着剤層に指先が接触することを軽減でき衛生的に使用できることを見出した。すなわち、本発明は、複数枚の絆創膏を剥離シート上に貼着した絆創膏のシート体であって、上記絆創膏は、片面に粘着剤層を設けた基材層の片面側において周縁から内方へ延在する非粘着部が設けられていることを特徴とする絆創膏のシート体に係るものである。
【００１２】
また、本発明は、複数枚の絆創膏を積層した絆創膏の積層体であって、上記絆創膏は、片面に粘着剤層を設けた基材層の片面側において周縁から内方へ延在する非粘着部が設けられていることを特徴とする絆創膏の積層体に係るものである。
【００１３】
これら本発明のシート体及び積層体において、非粘着部を絆創膏の基材層の片面側の全周縁に沿うように設けた場合には、何れの方向からでも非粘着部を容易に指先で摘むことができて、絆創膏を１枚ずつ剥離シート又は下層の絆創膏から剥離することができる。
【００１４】
また、本発明のシート体及び積層体において、非粘着部に抗菌作用を付与するようにしてもよい。例えば、基材層として、抗菌性シートを用い、その片面側の周縁部を残して粘着剤層を設けるようにして、抗菌性シート（基材層）の露出面を非粘着部とすることにより、非粘着部に抗菌作用を付与することができる。このように、本発明において、絆創膏の非粘着部に抗菌作用を付与したときには、指先が非粘着部に接触してもより衛生的に使用することができる。
【発明の効果】
【００１５】
本発明によれば、容易に絆創膏を１枚ずつ剥離できて使用できるので、作業効率を向上できるとともに、衛生的に絆創膏を使用できる。
【００１６】
また、本発明によれば、使用後の絆創膏を皮膚から剥がすときに、粘着剤層が皮膚上に残存しにくくできる。
【発明を実施するための最良の形態】
【００１７】
以下、本発明の特徴とするところをより明確にするために、本発明の実施形態について図面を参照しつつ説明する。
【００１８】
（実施形態１）
図１（１）及び（２）に、実施形態１の絆創膏１の下面斜視図及び断面図を、図２（１）及び（２）にそのシート体１０の上面図及び断面図を示す。絆創膏１は、矩形状の基材層２の下面の中央領域に矩形状に粘着剤層３が形成され、基材層２の下面の周縁領域には、基材層２の下面が露出した非粘着部４が形成されている。非粘着部４は、基材層２の周縁から中央領域（内方）へ向って延在し、基材層２の全周に沿って形成されている。
【００１９】
基材層２としては、従来の絆創膏の基材層として使用されている布、紙、合成樹脂などの材質を広く使用することができ、これら材質の織布、不織布、フィルム、シートなどとして使用することができ、より好ましくは殺菌剤、消毒剤などを含有させた抗菌性のポリエチレンテレフタレート等の樹脂のフィルムやシートを使用することができる。
【００２０】
粘着剤層３としては、人体に悪影響をおよぼさないもので、皮膚に対して適当な貼着力があるものであれば特に限定されることなく使用でき、例えばゴム系、アクリル系、ポリエステル系、ビニル系などの従来の絆創膏の粘着剤として使用されているものを広く使用できる。
【００２１】
そして、絆創膏１は、その複数枚を剥離シート５の上面に貼付されてシート体１０とされる。剥離シート５としては、従来の絆創膏の剥離シートとして使用されている合成樹脂製のシート（フィルム）を広く使用できる。
【００２２】
このようにしてなるシート体は、例えば次のようにして製造することができる。まず、図３（１）に示すように、基材シート２’の片面に粘着剤をパターン印刷して、複数の粘着剤層３を所定間隔離間させて整列させて形成する。次に、図３（２）に示すように、片面に複数の粘着剤層３をパターン形成した基材シート２’を、粘着剤層３が挟みこまれるようにして剥離シート５とラミネートする。そして、図３（３）に示すように、このラミネート体の基材シート２’に、その粘着剤層３、３の間の領域に切断刃で切れ目６を入れることにより、基材シート２’を分割して基材層２とされ、結果個々の絆創膏１、１・・・となる。
【００２３】
（実施形態２）
実施形態１では、絆創膏１を矩形状とし、剥離シート５上に実質的に隙間なく整列させて貼着するようにしているが、実施形態２のシート体は、複数の絆創膏１を剥離シート５上に離間して貼着していることを特徴とする。図４に示すように、シート体２０は、各絆創膏１を、隣り合う絆創膏１と所定距離離間して剥離シート５の上面に貼着してシート状にされている。
【００２４】
絆創膏１を離間して剥離シート５に貼着することにより、絆創膏１の間隔を拡げることができるので、絆創膏１の非粘着部４を指先で摘み易く、絆創膏１を剥離シート５からより剥離しやすくでき、絆創膏１をより衛生的に使用できる。
【００２５】
なお、このシート体２０は、実施形態１のシート体１０と同様の方法で製造することができる。すなわち、図３（２）のように、ラミネート体とされた後に、粘着剤層３，３間の領域の基材シート２’を剥ぎ取れるように切り目を入れればよい。
【００２６】
（実施形態３）
実施形態１及び２では、絆創膏１を基材層２の片面の中央領域に粘着剤層３を形成したものとするとともに、その複数を矩形状の剥離シート５上に貼着した平面的なシート体１０，２０としているが、実施形態３のシート体では、絆創膏の粘着剤層の形成領域を異ならせるとともに、シート体を帯状体としたことを特徴とする。また、この帯状体をテープ状に巻き、箱容器に収容するようにしたことをも特徴とする。
【００２７】
図５（１）に示すように、絆創膏１１は、矩形状の基材層１２の下面の両端部を除く領域に粘着剤層１３を形成し、当該両端部に非粘着部１４が設けられている。すなわち、粘着剤層１３は、基材層１２の片面において、その横方向の中央部で縦幅一杯に設けられている。そして、この絆創膏１１は、図５（２）及び（３）に示すように、帯状の剥離シート１５に一列に実質的に隙間なく複数整列させて貼着され、帯状のシート体３０とされる。
【００２８】
このようにしてなる帯状のシート体３０は、例えば、図６に示すように、テープ状に巻き取られてロール体とされうる。このとき、必要に応じて巻き取り体Ｒの芯に巻き取るようにしてもよい。そして、帯状のシート体３０のロール体を、箱容器Ｋに収容して供給することができる。このようにシート体３０をロール体として箱容器Ｋに収容するようにしたときには、絆創膏１１を衛生的に搬送できるとともに、使用する絆創膏１１の分づつ帯状のシート体３０を箱容器Ｋから引き出すようにして使用すれば、未使用の絆創膏１１の部分のシート体３０を箱容器Ｋ内に収納したまま保持できるので、より衛生的に絆創膏１１を使用することができるようになる。
【００２９】
また、このようにしてなるシート体３０のロール体は、例えば以下のようにして製造することができる。図７（１）に示すように、基材シート１２’の片面に粘着剤を列状にパターン印刷して、複数の列状の粘着剤層１３’を所定間隔離間させて縦縞状に整列させて形成する。次に、図７（２）に示すように、片面に複数の粘着剤層１３’をパターン形成した基材シート１２’を、粘着剤層１３’が挟みこまれるようにして剥離シート１５’とラミネートする。そして、図７（３）に示すように、このラミネート体の基材シート１２’に、その粘着剤層１３’、１３’の間の領域に切断刃で切れ目１６を入れ、その後に図７（４）に示すように、このラミネート体（基材シート１２’、粘着剤層１３’及び剥離シート１５’）を長さ方向に複数に分割して、剥離シート１５の上面に複数の絆創膏１１，１１・・・が一列状に貼着された帯状のシート体３０を得ることができる。
【００３０】
（実施形態４）
図８（１）及び（２）に実施形態４の積層体５０を示す。絆創膏５１は、円形状の基材層５２の下面の中央領域に粘着剤層５３が設けられることにより、中央領域を除く全周縁部が非粘着部５４とされた円形状を有する。そして、この円形状の絆創膏５１は、剥離シート５５の上面に粘着剤層５３により貼付され、その後順次上方へ積層されて、絆創膏５１の積層体５０とされている。
【００３１】
このようにしてなる絆創膏５１の積層体５０は、例えば以下のようにして製造することができる。
【００３２】
図９（１）に示すように、基材シート５２’の片面に粘着剤をパターン印刷して、複数の円形状の粘着剤層５３を所定間隔離間させて整列させて形成する。次に、図９（２）に示すように、この粘着剤層５３を形成した複数枚の基材シート５２’を、剥離シート５５’上に、粘着剤層５３側を下にして、規則正しく積層（ラミネート）していく。こうして得られた積層シート体を上面から下面にかけて、粘着剤層５３を含む円形状に、打ち抜くことにより図８に示す絆創膏５１の積層体５０を得ることができる。
【産業上の利用可能性】
【００３３】
本発明は、特に、採血や予防接種時の注射針による穿刺部のような比較的小さな傷が塞がるまでの間、当該穿刺部を一時的に仮保護するための小さめの絆創膏に好ましく適用することができる。
【図面の簡単な説明】
【００３４】
【図１】本発明の実施形態１に係る絆創膏の（１）下面斜視図及び（２）そのＡ−Ａ断面図である。
【図２】本発明の実施形態１に係る絆創膏のシート体の（１）上面図及び（２）そのＢ−Ｂ断面図である。
【図３】本発明の実施形態１に係る絆創膏のシート体の製造方法の工程説明図である。
【図４】本発明の実施形態２に係る絆創膏のシート体の上面図である。
【図５】本発明の実施形態３に係る（１）絆創膏の下面斜視図、（２）その帯状のシート体の上面図及び（３）そのＣ−Ｃ断面図である。
【図６】本発明の実施形態３に係る帯状のシート体を巻き取ってロール状にし、箱容器に収容した状態の説明図である。
【図７】本発明の実施形態３に係る帯状のシート体の製造方法の工程説明図である。
【図８】本発明の実施形態４に係る絆創膏の積層体の（１）斜視図及び（２）そのＤ−Ｄ断面図である。
【図９】本発明の実施形態４に係る絆創膏の積層体の製造方法の工程説明図である。
【図１０】従来の絆創膏の（１）斜視図及び（２）そのシート体の上面図である。
【符号の説明】
【００３５】
１，１１，５１  絆創膏
２，１２，５２  基材層
３，１３，５３  粘着剤層
４，１４，５４  非粘着部
５，１５，５５  剥離シート
【図１】
2006198016.tif 000003
【図２】
2006198016.tif 000004
【図３】
2006198016.tif 000005
【図４】
2006198016.tif 000006
【図５】
2006198016.tif 000007
【図６】
2006198016.tif 000008
【図７】
2006198016.tif 000009
【図８】
2006198016.tif 000010
【図９】
2006198016.tif 000011
【図１０】
2006198016.tif 000012